(57)【要約】【課題】吸収性物品において、トップシートとセカンドシートとをエンボスにより好適に接着し、トップシートのヨレを防止することと、体液の吸収性能低下を防止すること。【解決手段】人体との接触面側に設けられるトップシート３とその裏面に配置されるセカンドシート３４と、バックシート２と、セカンドシートとバックシートとの間に介装される吸収体４とを備えるナプキン１００において、トップシートとセカンドシートとを接着するために形成される複数のエンボス凹部８がその長軸方向を、トップシートの表面に作用する作用力に抗する向きに配される構成にした。そして、ナプキン１００における四隅に位置するブロックＢ１１においては、ナプキン１００の中心を通り、各四隅のブロックＢ１１に向けて４５度方向に延在する第１の仮想線α１に対し、エンボス凹部８の長軸方向が３０度から９０度の角度になるように形成するようにした。【選択図】    図１
2004298454.tif 000002
【特許請求の範囲】
【請求項１】
人体との接触面側に設けられるトップシートに、複数の略長方形状或いは略楕円形状のエンボス凹部を有する吸収性物品であって、
前記エンボス凹部の長軸方向は、人体の動きにより前記トップシートに作用する作用力のうち、最大の作用力の方向に対し、略３０度から略９０度の角度になるように形成されていることを特徴とする吸収性物品。
【請求項２】
人体との接触面側に設けられるトップシートと、前記トップシートの裏面に配置されるセカンドシートと、人体との接触面と反対面側に設けられるバックシートと、前記セカンドシートと前記バックシートとの間に介装される吸収体と、を備え、前記トップシートと前記セカンドシートとを接着するために形成した、複数の略長方形状或いは略楕円形状のエンボス凹部を有する吸収性物品であって、
前記エンボス凹部の長軸方向は、前記吸収性物品の前記トップシートの表面を複数のブロックに区切った各ブロックの所定の位置において、前記吸収性物品を使用する際の前記トップシートの表面に当該表面と平行な方向に作用する作用力のうち、最大の作用力の方向に対し、略３０度から略９０度の角度になるように前記ブロック毎に形成されていることを特徴とする吸収性物品。
【請求項３】
前記吸収性物品における四隅に位置する第１のブロックには、前記エンボス凹部が、前記吸収性物品の中心から各四隅の第１のブロックに向けて４５度方向に延びる第１の仮想線に対し、その長軸方向を略３０度から略９０度の角度になるように形成されていることを特徴とする請求項２に記載の吸収性物品。
【請求項４】
前記吸収性物品の長手方向略中央の両端部から各々、前記吸収性物品の幅方向の内側に向けて凸の略円弧形状を有する帯領域に位置する第２のブロックには、前記エンボス凹部が、前記第１の仮想線と直交する第２の仮想線に対し、その長軸方向を略３０度から略９０度の角度になるように形成されていることを特徴とする請求項２又は３に記載の吸収性物品。
【請求項５】
前記帯領域より、前記吸収性物品の幅方向の外側に位置する第３のブロックには、前記エンボス凹部が、前記吸収性物品の長手方向に平行な第３の仮想線に対し、その長軸方向を略３０度から略９０度の角度になるように形成されていることを特徴とする請求項４に記載の吸収性物品。
【請求項６】
前記帯領域より、前記吸収性物品の幅方向の内側に位置する第４のブロックには、前記エンボス凹部が、前記吸収性物品の長手方向に垂直な第４の仮想線に対し、その長軸方向を略３０度から略９０度の角度になるように形成されていることを特徴とする請求項４又は５に記載の吸収性物品。
【請求項７】
前記エンボス凹部は、前記各仮想線に対し、その長軸方向を略４５度から略９０度の角度になるように形成されていることを特徴とする請求項３〜６の何れか一項に記載の吸収性物品。
【請求項８】
人体との接触面側に設けられるトップシートと、前記トップシートの裏面に配置されるセカンドシートと、人体との接触面と反対面側に設けられるバックシートと、前記セカンドシートと前記バックシートとの間に介装される吸収体と、を備える吸収性物品において、前記トップシートと前記セカンドシートとを接着する、複数の略長方形状或いは略楕円形状のエンボス凹部を形成する、エンボス形成方法であって、
前記吸収性物品のトップシートの表面を複数のブロックに区切る区切工程と、
前記区切工程により区切られた前記ブロックの所定位置において、前記吸収性物品を使用する際の前記トップシートの表面に平行な方向に作用する作用力を測定する作用力測定工程と、
前記作用力測定工程により測定された作用力のうち、最大の作用力を決定する最大作用力決定工程と、
前記最大作用力決定工程により決定された最大の作用力の方向に対し、前記エンボス凹部のその長軸方向が略３０度から略９０度の角度になるように、前記ブロック毎にエンボス凹部を形成するエンボス凹部形成工程と、
を有することを特徴とする吸収性物品におけるエンボス形成方法。
【発明の詳細な説明】
【０００１】
【発明の属する技術分野】
本発明は、経血やおりものなどの体液を吸収するための生理用ナプキン、パンティライナー、失禁パッド等の吸収性物品に係り、詳しくは表面材にエンボス加工が施された吸収性物品に関する。
【０００２】
【従来の技術】
従来より、生理用ナプキン、パンティライナー、失禁パッドなどの吸収性物品において、吸収性物品の厚み方向への体液の拡散性の向上と、体液の隠蔽性の向上を目的として、トップシートの下面側に吸収性を有するセカンドシートが配置された表面材が知られている。そして、体液の吸収速度の向上や、肌触りの感の向上を目的とし、トップシートとセカンドシートとにエンボス加工を施し、トップシートとセカンドシートとを接着したものが知られている。（例えば、特許文献１参照。）。
【０００３】
【特許文献１】
特開平８−１１７２７７号公報
【０００４】
【発明が解決しようとする課題】
しかしながら、上記特許文献１の場合、トップシートとセカンドシートとの接着は十分でなく、トップシートはセカンドシートから剥離しやすく、剥離したトップシートにヨレや皺が生じることがあった。
吸収性物品の表面において、そのトップシートがヨレたり皺が生じることによって、吸収性物品の肌触り感が悪化するとともに、吸収性物品における体液の吸収性能が低下するという問題があった。
【０００５】
本発明の課題は、吸収性物品において、トップシートとセカンドシートとをエンボス加工により好適に接着し、トップシートのヨレを防止しすることと、体液の吸収性能低下を防止することである。
【０００６】
【課題を解決するための手段】
以上の課題を解決するため、請求項１記載の発明は、
人体との接触面側に設けられるトップシート（３）に、複数の略長方形状或いは略楕円形状のエンボス凹部（８）を有する吸収性物品（例えば、ナプキン１００等）であって、
前記エンボス凹部の長軸方向は、人体の動きにより前記トップシートに作用する作用力のうち、最大の作用力の方向に対し、略３０度から略９０度の角度になるように形成されていることを特徴とする。
【０００７】
請求項１に記載の発明によれば、吸収性物品のトップシートの表面における略長方形状或いは略楕円形状の複数のエンボス凹部は、人体の動きによりトップシートに作用する作用力のうち、最大の作用力の方向に対し、略３０度から略９０度の角度になるように形成されている。
このように、エンボス凹部は、トップシートの表面に作用する最大の作用力の方向に対し、エンボス凹部の長軸方向が略３０度から略９０度の角度になるように形成されているので、トップシートはその作用力に対し抵抗することができ、ヨレにくい。
よって、トップシートにはヨレや皺が生じにくいので、トップシートの肌触り感を維持することができ、装着感に優れた吸収性物品とすることができる。
【０００８】
請求項２記載の発明は、
人体との接触面側に設けられるトップシート（３）と、前記トップシートの裏面に配置されるセカンドシート（３４）と、人体との接触面と反対面側に設けられるバックシート（２）と、前記セカンドシートと前記バックシートとの間に介装される吸収体（４）と、を備え、前記トップシートと前記セカンドシートとを接着するために形成した、複数の略長方形状或いは略楕円形状のエンボス凹部（８）を有する吸収性物品（例えば、ナプキン１００等）であって、
前記エンボス凹部の長軸方向は、前記吸収性物品の前記トップシートの表面を複数のブロック（Ｂ）に区切った各ブロックの所定の位置において、前記吸収性物品を使用する際の前記トップシートの表面に当該表面と平行な方向に作用する作用力のうち、最大の作用力の方向に対し、略３０度から略９０度の角度になるように前記ブロック毎に形成されていることを特徴とする。
【０００９】
請求項２記載の発明によれば、吸収性物品におけるトップシートの表面において、トップシートとセカンドシートとを接着するために形成した略長方形状或いは略楕円形状の複数のエンボス凹部が、吸収性物品のトップシートの表面を複数のブロックに区切った各ブロックの所定の位置において、吸収性物品を使用する際のトップシートの表面に、その表面と平行な方向に作用する作用力のうち最大の作用力の方向に対し、そのエンボス凹部の長軸方向が略３０度から略９０度の角度になるように前記ブロック毎に形成されている。
このように、エンボス凹部は、トップシートの表面に作用する最大の作用力が、トップシートをセカンドシートから剥離しようとする方向に対し、エンボス凹部の長軸方向を略３０度から略９０度の角度になるように形成されているので、トップシートはセカンドシートから剥離しにくい。
特に、トップシートの表面を区切ったブロック毎に、そのエンボス凹部の角度が設定され形成されるので、吸収性物品のトップシートにおける部位に応じて好適なエンボス凹部が形成される。
【００１０】
ここで、トップシートをセカンドシートから剥離しようとする方向である作用力の向きに対して、エンボス凹部がその長軸方向を向けた略３０度から略９０度の角度とは、その剥離しようとする作用力によってトップシートがセカンドシートから剥離されることに抗するのに好適な向きである。
【００１１】
よって、トップシートはセカンドシートから剥離しにくいように、エンボス凹部により接着されるので、トップシートにはヨレや皺が生じにくい。
従って、トップシートの肌触り感や吸収性物品における体液の吸収効率、吸収性能を維持することができ、装着感と、体液の高吸収性能を兼ね備えた吸収性物品とすることができる。
【００１２】
請求項３記載の発明は、請求項２に記載の吸収性物品において、
前記吸収性物品における四隅に位置する第１のブロック（Ｂ１、Ｂ１１）には、前記エンボス凹部が、前記吸収性物品の中心から各四隅の第１のブロックに向けて４５度方向に延びる第１の仮想線（α１）に対し、その長軸方向を略３０度から略９０度の角度になるように形成されていることを特徴とする。
【００１３】
請求項３記載の発明によれば、請求項２に記載の発明と同様の作用を奏するとともに、吸収性物品におけるトップシートの表面において、吸収性物品の四隅端部に位置する第１のブロックには、トップシートとセカンドシートを接着するために形成した略長方形状或いは略楕円形状の複数のエンボス凹部が、吸収性物品の中心から各四隅の第１のブロックに向けて４５度方向に延びる第１の仮想線に対し、そのエンボス凹部の長軸方向が略３０度から略９０度の角度になるように形成されている。
【００１４】
ここで、第１の仮想線は、吸収性物品の四隅端部における第１のブロックにおいて、トップシートをセカンドシートから剥離させる力が最も大きく作用する力の向きであり、エンボス凹部がその長軸方向を第１の仮想線に対して形成された略３０度から略９０度の角度とは、その剥離しようとする作用力によってトップシートがセカンドシートから剥離されることに抗するのに好適な向きである。
【００１５】
よって、吸収性物品の四隅端部において、トップシートはセカンドシートから剥離しにくいように、エンボス凹部により接着されるので、トップシートにはヨレや皺が生じにくい。
従って、トップシートの肌触り感や吸収性物品における体液の吸収効率、吸収性能を維持することができ、装着感と、体液の高吸収性能を兼ね備えた吸収性物品とすることができる。
【００１６】
請求項４記載の発明は、請求項２又は３に記載の吸収性物品において、
前記吸収性物品の長手方向略中央側の両端部から各々、前記吸収性物品の幅方向の内側に向けて凸の略円弧形状を有する帯領域（例えば、第２のブロックＢ１２）に位置する第２のブロック（Ｂ２、Ｂ１２）には、前記エンボス凹部が、前記第１の仮想線と直交する第２の仮想線（α２）に対し、その長軸方向を略３０度から略９０度の角度になるように形成されていることを特徴とする。
【００１７】
請求項４記載の発明によれば、請求項２又は３に記載の発明と同様の作用を奏するとともに、吸収性物品におけるトップシートの表面であって、吸収性物品の長手方向略中央側の両端部において、吸収性物品の幅方向の内側に向けて凸の略円弧形状を有する帯領域に位置する第２のブロックには、複数のエンボス凹部が、第２の仮想線に対し、そのエンボス凹部の長軸方向が略３０度から略９０度の角度になるように形成されている。
【００１８】
ここで、第２の仮想線は、吸収性物品の長手方向略中央側の両端部における略円弧形状を有する帯領域に位置する第２のブロックにおいて、トップシートをセカンドシートから剥離させる力が最も大きく作用する力の向きであり、エンボス凹部がその長軸方向を第２の仮想線に対して形成された略３０度から略９０度の角度とは、その剥離しようとする作用力によってトップシートがセカンドシートから剥離されることに抗するのに好適な向きである。
【００１９】
よって、吸収性物品の略円弧形状を有する帯領域において、トップシートはセカンドシートから剥離しにくいように、エンボス凹部により接着されるので、よりトップシートにはヨレや皺が生じにくい。
従って、トップシートの肌触り感や吸収性物品における体液の吸収効率、吸収性能を維持することができ、装着感と、体液の高吸収性能を兼ね備えた吸収性物品とすることができる。
【００２０】
請求項５記載の発明は、請求項４に記載の吸収性物品において、
前記帯領域より、前記吸収性物品の幅方向の外側に位置する第３のブロック（Ｂ３、Ｂ１３）には、前記エンボス凹部が、前記吸収性物品の長手方向に平行な第３の仮想線（α３）に対し、その長軸方向を略３０度から略９０度の角度になるように形成されていることを特徴とする。
【００２１】
請求項５記載の発明によれば、請求項４に記載の発明と同様の作用を奏するとともに、吸収性物品の幅方向の内側に向けて凸の略円弧形状を有する帯領域より、吸収性物品の幅方向の外側に位置する第３のブロックには、複数のエンボス凹部が、第３の仮想線に対し、そのエンボス凹部の長軸方向が略３０度から略９０度の角度になるように形成されている。
【００２２】
ここで、第３の仮想線は、略円弧形状を有する帯領域より吸収性物品の幅方向の外側に位置する第３のブロックにおいて、トップシートをセカンドシートから剥離させる力が最も大きく作用する力の向きであり、エンボス凹部がその長軸方向を第３の仮想線に対して形成された略３０度から略９０度の角度とは、その剥離しようとする作用力によってトップシートがセカンドシートから剥離されることに抗するのに好適な向きである。
【００２３】
よって、吸収性物品の略円弧形状を有する帯領域より吸収性物品の幅方向の外側において、トップシートはセカンドシートから剥離しにくいように、エンボス凹部により接着されるので、よりトップシートにはヨレや皺が生じにくい。
従って、トップシートの肌触り感や吸収性物品における体液の吸収効率、吸収性能を維持することができ、装着感と、体液の高吸収性能を兼ね備えた吸収性物品とすることができる。
【００２４】
請求項６記載の発明は、請求項４又は５に記載の吸収性物品において、
前記帯領域より、前記吸収性物品の幅方向の内側に位置する第４のブロック（Ｂ４、Ｂ１４）には、前記エンボス凹部が、前記吸収性物品の長手方向に垂直な第４の仮想線（α４）に対し、その長軸方向を略３０度から略９０度の角度になるように形成されていることを特徴とする。
【００２５】
請求項６記載の発明によれば、請求項４又は５に記載の発明と同様の作用を奏するとともに、吸収性物品の幅方向の内側に向けて凸の略円弧形状を有する帯領域より、吸収性物品の幅方向の内側に位置する第４のブロックには、複数のエンボス凹部が、第４の仮想線に対し、そのエンボス凹部の長軸方向が略３０度から略９０度の角度になるように形成されている。
【００２６】
ここで、第４の仮想線は、略円弧形状を有する帯領域より吸収性物品の幅方向の内側における第４のブロックにおいて、トップシートをセカンドシートから剥離させる力が最も大きく作用する力の向きであり、エンボス凹部がその長軸方向を第４の仮想線に対して形成された略３０度から略９０度の角度とは、その剥離しようとする作用力によってトップシートがセカンドシートから剥離されることに抗するのに好適な向きである。
【００２７】
よって、吸収性物品の略円弧形状を有する帯領域より吸収性物品の幅方向の内側において、トップシートはセカンドシートから剥離しにくいように、エンボス凹部により接着されるので、よりトップシートにはヨレや皺が生じにくい。
従って、トップシートの肌触り感や吸収性物品における体液の吸収効率、吸収性能を維持することができ、装着感と、体液の高吸収性能を兼ね備えた吸収性物品とすることができる。
【００２８】
請求項７記載の発明は、請求項３〜６の何れか一項に記載の吸収性物品において、
前記エンボス凹部は、前記各仮想線に対し、その長軸方向を略４５度から略９０度の角度になるように形成されていることを特徴とする。
【００２９】
請求項７記載の発明によれば、請求項３〜６の何れか一項に記載の発明と同様の作用を奏するとともに、エンボス凹部は、各仮想線に対し、その長軸方向が略４５度から略９０度の角度になるように形成されているので、トップシートはセカンドシートからより剥離しにくく、トップシートにはヨレや皺がより生じにくい。
【００３０】
請求項８記載の発明は、
人体との接触面側に設けられるトップシート（３）と、前記トップシートの裏面に配置されるセカンドシート（３４）と、人体との接触面と反対面側に設けられるバックシート（２）と、前記セカンドシートと前記バックシートとの間に介装される吸収体（４）と、を備える吸収性物品（例えば、ナプキン１００等）において、前記トップシートと前記セカンドシートとを接着する、複数の略長方形状或いは略楕円形状のエンボス凹部（８）を形成するエンボス形成方法であって、
前記吸収性物品のトップシートの表面を複数のブロック（Ｂ）に区切る区切工程と、
前記区切工程により区切られた前記ブロックの所定位置において、前記吸収性物品を使用する際の前記トップシートの表面に平行な方向に作用する作用力を測定する作用力測定工程と、
前記作用力測定工程により測定された作用力のうち、最大の作用力を決定する最大作用力決定工程と、
前記最大作用力決定工程により決定された最大の作用力の方向に対し、前記エンボス凹部のその長軸方向が略３０度から略９０度の角度になるように、前記ブロック毎にエンボス凹部（８）を形成するエンボス凹部形成工程と、
を有することを特徴とする。
【００３１】
請求項８記載の発明によれば、吸収性物品におけるトップシートとセカンドシートとを接着するために形成する略長方形状或いは略楕円形状の複数のエンボス凹部を、吸収性物品のトップシートの表面を複数のブロックに区切った各ブロックの所定の位置において、吸収性物品を使用する際のトップシートの表面に作用する作用力のうち最大の作用力の方向に対し、そのエンボス凹部の長軸方向が略３０度から略９０度の角度になるように前記ブロック毎に形成することができる。
特に、トップシートの表面を区切ったブロック毎に、そのエンボス凹部の角度を設定して形成することができるので、吸収性物品のトップシートにおける部位に応じて好適なエンボス凹部が形成される。
このように、エンボス凹部が、トップシートの表面に作用する最大の作用力が、トップシートをセカンドシートから剥離しようとする方向に対し、エンボス凹部の長軸方向を略３０度から略９０度の角度になるように形成することにより、トップシートがセカンドシートから剥離しにくい吸収性物品とすることができる。
よって、吸収性物品においてトップシートがセカンドシートから剥離しにくいことにより、トップシートにはヨレや皺が生じにくい。
従って、トップシートの肌触り感や吸収性物品における体液の吸収効率、吸収性能を維持することができ、装着感と、体液の高吸収性能を兼ね備えた吸収性物品を製造することができる。
【００３２】
【発明の実施の形態】
以下、本発明の実施の形態を図１から図１５に基づいて説明する。
図１は本発明を適用した生理用ナプキンの平面図あり、図２は図１のＩＩ−ＩＩ線における断面図である。
【００３３】
吸収性物品としての生理用ナプキン（以下、ナプキンという。）１００は、ポリエチレンシートなどからなる不透液性のバックシート２と、経血やおりものなどの体液を速やかに透過させる透液性のトップシート３と、トップシート３の裏面に配置される液体透過性を有するセカンドシート３４と、これらバックシート２とセカンドシート３４との間に介装される綿状パルプまたは合成パルプなどからなる吸収体４と、この吸収体４を囲繞するクレープ紙５と、吸収体４の略側縁部を起立基端とし、少なくとも排血口対応部（例えば、図１に示されるポイントＰ）から前後方向に所定の区間において人体との接触面側に起立するように設けられた左右一対のギャザーシート６、６等により構成されている。
【００３４】
ナプキン１００の吸収体４の周囲において、ナプキン１００の長手方向の両端部（前端部１１ａ、後端部１１ｂ）では、バックシート２とトップシート３の外縁部がホットメルトなどの接着剤やヒートシール等の接着手段によって接着されている。
また、ナプキン１００の両側縁部では、吸収体４よりも側方に延出しているバックシート２と、ギャザーシート６の一部分とがホットメルトなどの接着剤やヒートシール等の接着手段によって接着されている。
【００３５】
バックシート２は、ポリエチレン等の少なくとも遮水性を有するシート材により形成されている。また、ムレ防止の観点から透湿性を有するシート材であることが好ましく、この遮水性と透湿性とを具備するシート材としては、ポリエチレンやポリプロピレン等のオレフィン系樹脂中に無機充填剤を溶融混練してシートを成形した後、一軸または二軸方向に延伸することにより得られる微多孔性シート材が好適に用いられる。また、不織布にその微多孔性シート材をラミネートしたラミネートシートであっても好適に用いられる。
また、バックシート２の外面には一又は複数条の粘着剤層（図示せず）が形成されており、身体への装着時にナプキン１００をショーツのクロッチ部分に固定するようになっている。
【００３６】
トップシート３は、有孔または無孔の不織布や、多孔性プラスチックシート、また不織布にポリエチレンフィルムがラミネートされたラミネートシートなどにより形成されている。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
トップシート３に多数の透孔を形成した場合には、経血やおりもの等の体液がより速やかに吸収されるようになり、ドライタッチ性に優れたものとなる。
【００３７】
セカンドシート３４は、例えば、エアスルー方式で製造されたエアスルー不織布である。このエアスルー不織布は、柔らかく、水分吸収性が良好な性質を有する。また、セカンドシート３４は、トップシート３の裏面に後述するエンボス凹部８により接着されている。
【００３８】
また、図１に示されるように、トップシート３の表面には、フィットエンボス（第１のフィットエンボス８８ａ、第２のフィットエンボス８８ｂ、センターフィットエンボス８８ｃ）が形成されている。このフィットエンボス（第１のフィットエンボス８８ａ、第２のフィットエンボス８８ｂ、センターフィットエンボス８８ｃ）は、トップシート３とともに吸収体４にも凹部が形成されるように、トップシート３を吸収体４に押し付けて形成されている。このトップシート３はセカンドシート３４とともに、吸収体４に熱融着により接着されている。
なお、図１においては、ギャザーシート６を透視し、トップシート３におけるフィットエンボスや後述するエンボス凹部８を視認して図示してある。
【００３９】
第１のフィットエンボス８８ａは、ナプキン１００における長手方向略中央の両端部において、ナプキン１００の幅方向の内側に向けて凸の略円弧形状を呈するように形成されている。
第２のフィットエンボス８８ｂは、第１のフィットエンボス８８ａよりナプキン１００の幅方向の内側において第１のフィットエンボス８８ａに沿う略円弧形状を呈するように形成されている。この第２のフィットエンボス８８ｂもナプキン１００の幅方向の内側に向けて凸の略円弧形状を有している。
センターフィットエンボス８８ｃ、８８ｃは、ナプキン１００の幅方向の中央部を挟み、ナプキン１００の長手方向の両端部にわたって所定の間隔を有するように、左右の第２のフィットエンボス８８ｂにそれぞれ接するように形成されている。
この第１のフィットエンボス８８ａと第２のフィットエンボス８８ｂとに挟まれた範囲は、ナプキン１００の幅方向の内側に向けて凸の略円弧形状を有する帯領域を形成している。
また、本実施の形態においては、ナプキン１００の人体との接触面側に設けられるトップシート３に、後述するエンボス凹部８の長軸方向が、人体の動きによりトップシート３に作用する作用力のうち、最大の作用力の方向に対し、９０度の角度により近くなるように形成している。
【００４０】
エンボス凹部８は、トップシート３側からセカンドシート３４側へ向け、或いはセカンドシート３４側からトップシート３側へ向けてプレス加工（エンボス加工）された凹部であり、このエンボス凹部８によりトップシート３とセカンドシート３４が接着されている。
エンボス凹部８は、図３に示されるように、楕円形状を有している。
エンボス凹部８の短軸８１と長軸８２との長さの比は１：２以上である。また、長軸８２の長さは２ｍｍ以上であり、好ましくは３ｍｍ以上である。
また、隣り合うエンボス凹部８との距離Ｌ１、Ｌ２はそれぞれ２ｍｍ〜６ｍｍであり、好ましくは３ｍｍ〜４ｍｍである。
エンボス凹部８間の距離が狭いとそのエンボス凹部８の接着部分によりナプキン１００の装着感が悪化してしまう。また、エンボス凹部８間の距離が広いとそのエンボス凹部８による接着面積が減少することにより、トップシート３とセカンドシート３４との接着強度が低下し、トップシート３がセカンドシート３４から剥がれやすくなってしまう。
【００４１】
エンボス凹部８は、ナプキン１００における四隅端部（例えば、第１のブロックＢ１１）においては、ナプキン１００の中心から各四隅端部の第１のブロックＢ１１に向けて４５度方向に延びる第１の仮想線α１に対し、そのエンボス凹部８の長軸方向が略９０度の角度になるように形成されている。
また、エンボス凹部８は、ナプキン１００における第１のフィットエンボス８８ａと第２のフィットエンボス８８ｂの間（例えば、第２のブロックＢ１２）においては、第１の仮想線α１に直交する第２の仮想線α２に対し、略８０度の角度になるように形成されている。
また、エンボス凹部８は、ナプキン１００における第１のフィットエンボス８８ａよりナプキン１００の幅方向の外側（例えば、第３のブロックＢ１３）においては、ナプキン１００の長手方向に平行な仮想線α３に対し、略９０度の角度になるように形成されている。
また、エンボス凹部８は、ナプキン１００におけるセンターフィットエンボス８８ｃの間であり、第２のフィットエンボス８８ｂの間（例えば、第４のブロックＢ１４）においては、ナプキン１００の長手方向に垂直な仮想線α４に対し、略９０度の角度になるように形成されている。なお、この範囲におけるエンボス凹部８は、他のエンボス凹部８より長軸方向が長い形状を有している。
【００４２】
吸収体４は、体液を吸収するものであり、通常はフラッフ状パルプ中に吸水性ポリマー粉末を混入したものが吸収機能およびコストの点から好適に使用されるが、体液を吸収・保持し得るものであれば良い。吸収体４は、形状保持等のためにクレープ紙５によって囲繞することが望ましい。
また、吸収体４として、シート形状の吸水性繊維に高吸水性樹脂が混入されてなるものがある。吸収性繊維として好適なものにはパルプ、すなわちセルロース繊維の他、レーヨン、アセテート等の人工セルロース繊維がある。木材パルプを使用する場合には、広葉樹パルプよりは繊維長の長い針葉樹パルプ方が機能及びコスト面で好適である。更に、ポリエチレン、ポリプロピレンなどのオレフィン系、ポリエステル系、ポリアミド系などの疎水性合成繊維を併用してもよい。
【００４３】
また、吸収体４をナプキン１００の所定の位置に保持するため、また表面側（人体側）に吸収体４を膨出させるため、また吸収した体液を封じ込める等のために、前述の第１のフィットエンボス８８ａ、第２のフィットエンボス８８ｂ、センターフィットエンボス８８ｃは形成されている。
【００４４】
ギャザーシート６、６は、吸収体４の略側縁部において、ナプキン１００の前端部１１ａから後端部１１ｂにわたって備えられている。ギャザーシート６は、不透液性の不織布のシートを二つ折りにし、折り合わされた面を、例えば、ホットメルトや、ヒートシール等により接着することにより形成されている。
この不織布シートを二つ折りにした折り返し部分側の端部を自由端部６１、ナプキン本体側に固定される端部を固定端部６２とする。その固定端部６２が、バックシート２に固着されることにより、ギャザーシート６、６がナプキン本体側に固定されている。そして、その不織布が折り合わされた面間に、複数本の糸状の弾性部材９・・・が挟み込まれて固着されて備えられている。
このギャザーシート６、６がナプキン１００（バックシート２）に固着されて備えられた状態において、自由端部６１が起立することにより、立体ギャザーが形成される。そして、この弾性部材９・・・によりギャザーシート６は、着用者の体型に合わせて伸縮自在に変形し、着用者にフィットしやすい構造となっている。
【００４５】
次に、本発明に係るナプキン１００において、前述のように、トップシート３とセカンドシート３４とを接着する複数のエンボス凹部８が形成された理由について説明する。
一般的にナプキンを使用する際、ナプキンを下着（ショーツのクロッチ）に固定し、身体側の股下部（排血口対応部）にナプキンのトップシートがあたるように装着する。
そして、ナプキンの装着中にその使用者が立つ、歩く、座る、寝るなど様々に姿勢を変えることにより、ナプキンのトップシートと身体間に摩擦力などの作用力が生じる。このトップシートと身体間に生じた作用力により、トップシートがセカンドシートから剥離してしまうと、剥離し弛んだトップシートにはヨレが生じやすくなる。トップシートにヨレが生じたり、そのヨレがさらに皺になってしまうことによっては、トップシートの肌触り感、ナプキンの装着感が損なわれるとともに、ナプキンにおける体液の吸収効率が悪化し、吸収性能が低下してしまうという問題があった。
そこで、そのトップシートを剥離しようとする作用力に対してより大きな抵抗力、剥離強度を有するエンボス凹部の形状や向き（方向性）の解析を行うとともに、身体の股下部において様々な動作中の様々な姿勢における作用力を測定し、その作用力に対してより大きな剥離強度を有するように、エンボス凹部を形成することとした。
【００４６】
そのためには、まず、トップシート３とセカンドシート３４との剥離強度の測定を行った。
剥離強度測定試験は、エンボス凹部８により接着されたトップシート３とセカンドシート３４の試験片（２５ｍｍ×２５ｍｍ）のトップシート３を剥離速度１００ｍｍ／ｍｉｎで、縦方向、横方向、斜め４５度方向の３方向にそれぞれ剥がす際の強度、力を測定した。その際、ウェット状態（３ｃｃの水を滴下し１０秒保持した状態）においてその剥離強度を測定した。
例えば、エンボス凹部８が、図３に示す配列パターンで形成された場合であって、エンボス凹部８の短軸８１の長さが１ｍｍ、長軸８２の長さが３ｍｍであり、距離Ｌ１が３．５０６ｍｍ、距離Ｌ２が６ｍｍであるとき、このエンボス凹部８により接着されたトップシートと吸収体との剥離強度は、図中上下方向に剥離する場合、約０．７５Ｎであり、図中左右方向に剥離する場合、約０．５６Ｎであり、また、図中斜め４５度方向に剥離する場合、約０．６８Ｎであった。
また、例えば、図１５に示すような従来のエンボスパターンにおいて、エンボス凹部の縦方向の軸８１の長さが３．１１ｍｍ、横方向の軸８２の長さが１．２９ｍｍであり、距離Ｌ１が８．５ｍｍ、距離Ｌ２が６．６５２６ｍｍであるとき、このエンボス凹部により接着されたトップシートと吸収体との剥離強度は、図中上下方向に剥離する場合、約０．７５Ｎであり、図中左右方向に剥離する場合、約０．４６Ｎであり、また、図中斜め４５度方向に剥離する場合、約０．５３Ｎであった。
【００４７】
このように、本発明にかかるエンボス凹部８のエンボスパターンにおいて、上下方向に剥離する強度を基準（１００％）とすると、左右方向に剥離する強度は７５％であり、斜め４５度方向に剥離する強度は９１％である。
それに対し、従来のエンボスパターンにおいて、上下方向に剥離する強度を基準（１００％）とすると、左右方向に剥離する強度は６１％であり、斜め４５度方向に剥離する強度は７１％である。
つまり、本発明にかかるエンボス凹部８のエンボスパターンの方が、従来のエンボスパターンより、様々な方向からの剥離作用に対し高い剥離強度を有しているといえる。
【００４８】
そして、解析の結果、エンボス凹部の形状は、略楕円形状や略長方形状のような長尺形状のものが好ましく、その長尺形状のエンボス凹部の長手方向が、トップシートを剥がす作用力の向きに対して３０度から９０度、好ましくは４５度から９０度、更に好ましくは９０度となるように形成されることが好適であると結論付けられた。
なお、エンボス凹部８の長手方向の向きが、その作用力に対して９０度の向きであるときに、１の抵抗力（剥離強度）が働くとすると、４５度の向きであると１／１．４１４２（＝約０．７）、３０度の向きであると１／２（＝０．５）の抵抗力が働く。（三角関数による。）
また、そのエンボス凹部の形状は、その長手方向の長さが２ｍｍ以上、好ましくは３ｍｍ以上であり、各エンボス凹部の前後左右の間隔は２ｍｍから６ｍｍ、好ましくは３ｍｍから４ｍｍであると結論付けられた。
【００４９】
次に、身体の股下部における作用力の大きさと向きとを測定した結果の一例を示し、説明する。
図４は着用中の生理用ショーツのクロッチ部分と、身体の股下部における起立姿勢での作用力の大きさと向きを示す説明図であり、図５は生理用ショーツ着用中に左足を前方向に開いた開脚３０ｃｍ姿勢での作用力の大きさと向きを示す説明図である。
また、図６は着用中の普通ショーツのクロッチ部分と、身体の股下部における起立姿勢での作用力の大きさと向きを示す説明図であり、図７は普通ショーツ着用中に左足を前方向に開いた開脚３０ｃｍ姿勢での作用力の大きさと向きを示す説明図である。
なお、この作用力の大きさと向きは、マネキン状の人体装置にショーツ等を着用させるように装着し、その人体装置の様々な姿勢において、ショーツの生地の伸びの方向と長さ（ベクトル）を測定し、求めたものである。
なお、図４〜図７における中心軸βは、ナプキン１００における仮想線α３の位置に相当する。また、中心軸βより左側が左脚側、右側が右脚側であり、上側が前方向、下側が後方向に相当する。
また、図中に示す升目であるブロックＢ・・・は２０ｍｍ×２０ｍｍの正方形状である。なお、これらブロックＢ・・・は、ナプキンのトップシートの表面を複数に区切るように配された升目である。
【００５０】
図４〜図７の各ブロックＢにおける丸付棒線ｘは、そのブロックＢが相当するショーツのクロッチ部分と身体の股下部における、その面に平行な方向の作用力の大きさとその向きを示すものであり、丸付棒線ｘの長さが作用力の大きさ、丸付棒線ｘの長手方向の丸側が作用力の向きを示している。なお、作用力はブロックの略中心を所定の位置として検出している。
また、各ブロックＢにおいて、丸付棒線ｘが当接する太線ｙは、その丸付棒線ｘが示す作用力に垂直な向きを示している。つまり、この太線ｙの長手方向にエンボス凹部の長手方向を配することが、最も好適なエンボス凹部の形成向きであるといえる。
【００５１】
図４〜図７における丸付棒線ｘを各ブロックＢ毎にまとめると、図８に示されるようになる。
図８に示されるブロックＢ１における最大の作用力に対しては、図９（ａ）のような向きにエンボス凹部の長軸方向を配することが、最も好適なエンボス凹部の形成向きであるといえる。
同様に、ブロックＢ２における最大の作用力に対しては、図９（ｂ）のような向きのエンボス凹部、ブロックＢ３における最大の作用力に対しては、図９（ｃ）のような向きのエンボス凹部、ブロックＢ４における最大の作用力に対しては、図９（ｄ）のような向きのエンボス凹部が、最も好適なエンボス凹部の形成向きであるといえる。
【００５２】
このように、様々な種類や様々なサイズのショーツやガードルなどの下着やナプキン等の表面と、身体の股下部との間に生じる作用力の大きさと向きとを測定した結果、エンボス凹部８を、図１に示すようなパターンでナプキン１００のトップシート３に形成することが、トップシートが剥離しにくく、様々な使用者やその様々な姿勢に対して好適であり、汎用性があるものと結論付けられた。
【００５３】
つまり、ナプキン１００における四隅端部の第１のブロックＢ１１には、この四隅端部に対応するブロックＢ１に応じて、エンボス凹部８の長軸方向を、仮想線α１に対して、略３０度から略９０度、好ましくは略４５度から略９０度、更に好ましくは略９０度の角度になるように形成することが好ましい。
また、ナプキン１００における第１のフィットエンボス８８ａと第２のフィットエンボス８８ｂの間の第２のブロックＢ１２（帯領域）には、この範囲に対応するブロックＢ２に応じて、エンボス凹部８の長軸方向を、第２の仮想線α２に対して、略３０度から略９０度、好ましくは略４５度から略９０度、更に好ましくは略９０度の角度になるように形成することが好ましい。
また、ナプキン１００における第１のフィットエンボス８８ａよりナプキン１００の幅方向の外側の第３のブロックＢ１３には、この範囲に対応するブロックＢ３に応じて、エンボス凹部８の長軸方向を、仮想線α３に対し、略３０度から略９０度、好ましくは略４５度から略９０度、更に好ましくは略９０度の角度になるように形成することが好ましい。
また、ナプキン１００におけるセンターフィットエンボス８８ｃの間であり、第２のフィットエンボス８８ｂの間の第４のブロックＢ１４には、この範囲に対応するブロックＢ４に応じて、エンボス凹部８の長軸方向を、仮想線α４に対し、略３０度から略９０度、好ましくは略４５度から略９０度、更に好ましくは略９０度の角度になるように形成することが好ましい。
なお、本発明、本実施の形態において、仮想線に対するエンボス凹部８の長軸方向の角度は、３０度から９０度、好ましくは４５度から９０度、更に好ましくは９０度の角度になることが特に好適なエンボス凹部８の形成された状態である。しかし、この角度から若干ずれることがあっても、その効果が得られる角度であれば、この角度に限定されるものではない。つまり、エンボス凹部８の長軸方向の角度は仮想線に対し、略３０度から略９０度、好ましくは略４５度から略９０度、更に好ましくは略９０度の角度になるように形成することが好ましいのである。
【００５４】
なお、前述のトップシート３とセカンドシート３４とを接着するエンボス凹部８の形成方法を説明すると、ナプキンのトップシートの表面を複数に分割する升目を配し、複数のブロックＢに区切り（区切工程）、区切られた各ブロックにおける中心位置における作用力を測定し（作用力測定工程）、測定された作用力のうち最大の作用力を判別、決定し（最大作用力決定工程）、その決定された最大の作用力の方向に対し、エンボス凹部８の長軸方向が略３０度から略９０度、好ましくは略４５度から略９０度、更に好ましくは略９０度の角度になるように形成する（エンボス凹部形成工程）、という工程からなる。これが、吸収性物品であるナプキンにおけるエンボス形成方法の一例である。
【００５５】
このように、本発明に係るナプキン１００は、身体の股下部において生ずる作用力の大きさと向きとを測定し解析した結果、様々な使用者やその様々な姿勢におけるその作用力に抗するように、ナプキン１００のトップシート３にエンボス凹部８が所定のパターンに形成されているので、トップシート３がセカンドシート３４から剥離しにくい。
よって、トップシート３がヨレにくく、皺が生じにくいので、トップシート３の肌触り感、ナプキン１００の装着感が損なわれることなく、ナプキン１００における体液の吸収効率、吸収性能を維持することができる。従って、装着感と、体液の高吸収性能を兼ね備えたナプキンとすることができる。
【００５６】
また、図１に示されるナプキン１００における四隅端部において、仮想線α１に対して略９０度の角度になるように形成されたエンボス凹部８は、センターフィットエンボス８８ｃの内側にまで形成され、仮想線α３部分で左右のエンボス凹部８が対峙するようになっているが、本発明はこれに限らず、変形例として、例えば、図１０に示すような異なるエンボス凹部パターンにしてもよい。
【００５７】
〔第１の変形例〕
次に、図１０を参照して、本発明にかかる第１の変形例について説明する。なお、図１と同一部分には同一符号を付し、異なる部分についてのみ説明する。
図１０に示されるように、ナプキン１０１における四隅端部においては、センターフィットエンボス８８ｃよりナプキン１０１の幅方向の外側において、エンボス凹部８の長軸方向が、仮想線α１に対して略９０度の角度になるように形成されている。
また、センターフィットエンボス８８ｃ、８８ｃの内側であって、ナプキン１０１の長手方向の端部側には、エンボス凹部８の長軸方向を、仮想線α３に対し、略９０度の角度になるように形成されている。
【００５８】
このようなナプキン１０１のエンボス凹部８のパターンであっても、図１に示すナプキン１００と同様に、トップシート３がセカンドシート３４から剥離しにくく、トップシート３にヨレや皺が生じにくい。
よって、トップシート３の肌触り感、ナプキン１０１の装着感が損なわれることなく、ナプキン１０１における体液の吸収効率、吸収性能を維持することができる。従って、装着感と、体液の高吸収性能を兼ね備えたナプキンとすることができる。
【００５９】
また、図１に示されるナプキン１００において、セカンドシート３４からトップシート３が剥離される作用力に抗することを考慮し、その作用力に抗する向きと定めた向きにのみエンボス凹部８を形成したが、本発明はこれに限らず、変形例として、例えば、図１１に示すように異なるエンボス凹部パターンにしてもよい。
【００６０】
〔第２の変形例〕
次に、図１１を参照して、本発明にかかる第２の変形例について説明する。なお、図１と同一部分には同一符号を付し、異なる部分についてのみ説明する。
図１１に示されるように、ナプキン１０２におけるトップシート３には、トップシート３を剥離しようとする作用力に抗する向きに形成されたエンボス凹部８に垂直な向きに、その長軸方向を配するように複数のエンボス凹部８０が形成されている。
このように、エンボス凹部８０を形成することにより、２つのエンボス凹部８と２つのエンボス凹部８０とにより略矩形の範囲を囲うエンボスブロック８８０が形成される。
このように作用力に抗する向きに形成されたエンボス凹部８に加えて、異なる向き、角度を有するエンボス凹部（例えば、エンボス凹部８０）を補助的に形成することや、エンボス凹部８とエンボス凹部８０とによりエンボスブロック８８０が形成されることなどにより、よりトップシート３がセカンドシート３４から剥離しにくくすることができる。
【００６１】
このように、ナプキン１０２のようなエンボス凹部８とエンボス凹部８０とによるエンボス凹部のパターンであっても、図１に示すナプキン１００と同様に、トップシート３がセカンドシート３４から剥離しにくく、トップシート３にヨレや皺が生じにくい。
よって、トップシート３の肌触り感、ナプキン１０２の装着感が損なわれることなく、ナプキン１０２における体液の吸収効率、吸収性能を維持することができる。従って、装着感と、体液の高吸収性能を兼ね備えたナプキンとすることができる。
【００６２】
なお、以上の実施の形態においては、エンボス凹部８の配列を、図３に示すように、エンボス凹部８の端部を揃えるようにしたが、本発明はこれに限定されるものではなく、図１２（ａ）に示すように、エンボス凹部８の端部をオーバーラップさせたり、図１２（ｂ）に示すように、エンボス凹部８の端部を揃えずに離すように配列してもよい。
【００６３】
また、エンボス凹部８の形状は楕円形状に限らず、図１３に示すようにエンボス凹部は、短辺８１’、長辺８２’を有する略長方形のエンボス凹部８’であってもよい。
また、図１４に示されるエンボス凹部のように、平面視略「へ」の字形状を有するエンボス凹部８ａ（図１４（ａ））や、平面視略「Ｗ」の字形状を有するエンボス凹部８ｂ（図１４（ｂ））や、平面視略「十」の字形状を有するエンボス凹部８ｃ（図１４（ｃ））であってもよい。このようなエンボス凹部の形状であれば、より様々な方向から作用する作用力に対して、トップシート３が剥がれにくいように抵抗することができる。
【００６４】
また、エンボス凹部８は、トップシート３とセカンドシート３４とを接着するばかりでなく、トップシート３とセカンドシート３４とが、吸収体４に押し付けられて、エンボス凹部８が形成されることにより、エンボス凹部８がトップシート３とともにセカンドシート３４をその吸収体４に接着する構成であってもよい。この場合、トップシート３がセカンドシート３４から剥離しにくいことに加え、トップシート３とセカンドシート３４とによる表面シートが吸収体４から剥離しにくい構造を有するナプキンになる。
【００６５】
また、エンボス凹部８の長軸方向を配する基準とする作用力の向きは、最大の作用力の方向に限らず、複数の作用力の向きの平均的な方向や、それら作用力の大きさを考慮した複数の作用力の平均的な方向（つまり、ベクトル和の方向）などであってもよい。
【００６６】
また、第２のブロックＢ１２に相当する帯領域は、第１のフィットエンボス８８ａと第２のフィットエンボス８８ｂとが形成された際に挟まれ囲われる領域でなくてもよい。
つまり、第１のフィットエンボス８８ａと第２のフィットエンボス８８ｂとが形成されない場合であっても、ナプキンにおけるトップシートの表面であって、ナプキンの長手方向略中央側の両端部から各々、吸収性物品の幅方向の内側に向けて凸の略円弧形状を有するアーチ状の帯領域としての仮想領域であってもよい。
【００６７】
また、弾性部材９は、ゴム製やポリウレタン製などの弾性を有する糸状部材であればよい。
【００６８】
また、本実施の形態においては、吸収性物品としてナプキンを例に説明したが、本発明はこれに限定されるものではなく、吸収性物品としては、インナーパッド、オムツ等であってもよい。
【００６９】
また、その他、具体的な細部構造等についても適宜に変更可能であることは勿論である。
【００７０】
【発明の効果】
請求項１に記載の発明によれば、吸収性物品のトップシートの表面における略長方形状或いは略楕円形状の複数のエンボス凹部は、人体の動きによりトップシートに作用する作用力のうち、最大の作用力の方向に対し、略３０度から略９０度の角度になるように形成されている。
このように、エンボス凹部は、トップシートの表面に作用する最大の作用力の方向に対し、エンボス凹部の長軸方向が略３０度から略９０度の角度になるように形成されているので、トップシートはその作用力に対し抵抗することができ、ヨレにくい。
よって、トップシートにはヨレや皺が生じにくいので、トップシートの肌触り感を維持することができ、装着感に優れた吸収性物品とすることができる。
【００７１】
請求項２記載の発明によれば、吸収性物品におけるトップシートの表面において、トップシートとセカンドシートとを接着するために形成した略長方形状或いは略楕円形状の複数のエンボス凹部が、吸収性物品のトップシートの表面を複数のブロックに区切った各ブロックの所定の位置において、吸収性物品を使用する際のトップシートの表面に、その表面と平行な方向に作用する作用力のうち最大の作用力の方向に対し、そのエンボス凹部の長軸方向が略３０度から略９０度の角度になるように前記ブロック毎に形成されている。
このように、エンボス凹部は、トップシートの表面に作用する最大の作用力が、トップシートをセカンドシートから剥離しようとする方向に対し、エンボス凹部の長軸方向を略３０度から略９０度の角度になるように形成されているので、トップシートはセカンドシートから剥離しにくい。
特に、トップシートの表面を区切ったブロック毎に、そのエンボス凹部の角度が設定され形成されるので、吸収性物品のトップシートにおける部位に応じて好適なエンボス凹部が形成される。
よって、トップシートはセカンドシートから剥離しにくいように、エンボス凹部により接着されるので、トップシートにはヨレや皺が生じにくい。
従って、トップシートの肌触り感や吸収性物品における体液の吸収効率、吸収性能を維持することができ、装着感と、体液の高吸収性能を兼ね備えた吸収性物品とすることができる。
【００７２】
請求項３記載の発明によれば、請求項２に記載の発明と同様の作用を奏するとともに、吸収性物品におけるトップシートの表面において、吸収性物品の四隅端部に位置する第１のブロックには、トップシートとセカンドシートを接着するために形成した略長方形状或いは略楕円形状の複数のエンボス凹部が、吸収性物品の中心から各四隅の第１のブロックに向けて４５度方向に延びる第１の仮想線に対し、そのエンボス凹部の長軸方向が略３０度から略９０度の角度になるように形成されている。
よって、吸収性物品の四隅端部において、トップシートはセカンドシートから剥離しにくいように、エンボス凹部により接着されるので、トップシートにはヨレや皺が生じにくい。
従って、トップシートの肌触り感や吸収性物品における体液の吸収効率、吸収性能を維持することができ、装着感と、体液の高吸収性能を兼ね備えた吸収性物品とすることができる。
【００７３】
請求項４記載の発明によれば、請求項２又は３に記載の発明と同様の作用を奏するとともに、吸収性物品におけるトップシートの表面であって、吸収性物品の長手方向略中央側の両端部において、吸収性物品の幅方向の内側に向けて凸の略円弧形状を有する帯領域に位置する第２のブロックには、複数のエンボス凹部が、第２の仮想線に対し、そのエンボス凹部の長軸方向が略３０度から略９０度の角度になるように形成されている。
よって、吸収性物品の略円弧形状を有する帯領域において、トップシートはセカンドシートから剥離しにくいように、エンボス凹部により接着されるので、よりトップシートにはヨレや皺が生じにくい。
従って、トップシートの肌触り感や吸収性物品における体液の吸収効率、吸収性能を維持することができ、装着感と、体液の高吸収性能を兼ね備えた吸収性物品とすることができる。
【００７４】
請求項５記載の発明によれば、請求項４に記載の発明と同様の作用を奏するとともに、吸収性物品の幅方向の内側に向けて凸の略円弧形状を有する帯領域より、吸収性物品の幅方向の外側に位置する第３のブロックには、複数のエンボス凹部が、第３の仮想線に対し、そのエンボス凹部の長軸方向が略３０度から略９０度の角度になるように形成されている。
よって、吸収性物品の略円弧形状を有する帯領域より吸収性物品の幅方向の外側において、トップシートはセカンドシートから剥離しにくいように、エンボス凹部により接着されるので、よりトップシートにはヨレや皺が生じにくい。
従って、トップシートの肌触り感や吸収性物品における体液の吸収効率、吸収性能を維持することができ、装着感と、体液の高吸収性能を兼ね備えた吸収性物品とすることができる。
【００７５】
請求項６記載の発明によれば、請求項４又は５に記載の発明と同様の作用を奏するとともに、吸収性物品の幅方向の内側に向けて凸の略円弧形状を有する帯領域より、吸収性物品の幅方向の内側に位置する第４のブロックには、複数のエンボス凹部が、第４の仮想線に対し、そのエンボス凹部の長軸方向が略３０度から略９０度の角度になるように形成されている。
よって、吸収性物品の略円弧形状を有する帯領域より吸収性物品の幅方向の内側において、トップシートはセカンドシートから剥離しにくいように、エンボス凹部により接着されるので、よりトップシートにはヨレや皺が生じにくい。
従って、トップシートの肌触り感や吸収性物品における体液の吸収効率、吸収性能を維持することができ、装着感と、体液の高吸収性能を兼ね備えた吸収性物品とすることができる。
【００７６】
請求項７記載の発明によれば、請求項３〜６の何れか一項に記載の発明と同様の作用を奏するとともに、エンボス凹部は、各仮想線に対し、その長軸方向が略４５度から略９０度の角度になるように形成されているので、トップシートはセカンドシートからより剥離しにくく、トップシートにはヨレや皺がより生じにくい。
【００７７】
請求項８記載の発明によれば、吸収性物品におけるトップシートとセカンドシートとを接着するために形成する略長方形状或いは略楕円形状の複数のエンボス凹部を、吸収性物品のトップシートの表面を複数のブロックに区切った各ブロックの所定の位置において、吸収性物品を使用する際のトップシートの表面に作用する作用力のうち最大の作用力の方向に対し、そのエンボス凹部の長軸方向が略３０度から略９０度の角度になるように前記ブロック毎に形成することができる。
特に、トップシートの表面を区切ったブロック毎に、そのエンボス凹部の角度を設定して形成することができるので、吸収性物品のトップシートにおける部位に応じて好適なエンボス凹部が形成される。
このように、エンボス凹部が、トップシートの表面に作用する最大の作用力が、トップシートをセカンドシートから剥離しようとする方向に対し、エンボス凹部の長軸方向を略３０度から略９０度の角度になるように形成することにより、トップシートがセカンドシートから剥離しにくい吸収性物品とすることができる。
よって、吸収性物品においてトップシートがセカンドシートから剥離しにくいことにより、トップシートにはヨレや皺が生じにくい。
従って、トップシートの肌触り感や吸収性物品における体液の吸収効率、吸収性能を維持することができ、装着感と、体液の高吸収性能を兼ね備えた吸収性物品を製造することができる。
【図面の簡単な説明】
【図１】本発明に係るナプキンの平面図である。
【図２】図１におけるＩＩ−ＩＩ線における断面図である。
【図３】本実施の形態におけるエンボス凹部及びその配列パターンを示す説明図である。
【図４】着用中の生理用ショーツのクロッチ部分と、身体の股下部における起立姿勢での作用力の大きさと向きを示す説明図である。
【図５】着用中の生理用ショーツのクロッチ部分と、身体の股下部における開脚姿勢での作用力の大きさと向きを示す説明図である。
【図６】着用中の普通ショーツのクロッチ部分と、身体の股下部における起立姿勢での作用力の大きさと向きを示す説明図である。
【図７】着用中の普通ショーツのクロッチ部分と、身体の股下部における開脚姿勢での作用力の大きさと向きを示す説明図である。
【図８】各ブロックにおける作用力の大きさと向きを示す説明図である。
【図９】各ブロックにおけるエンボス凹部の向きの一例を示す説明図である。
【図１０】本発明にかかるナプキンの第１の変形例を示す平面図である。
【図１１】本発明にかかるナプキンの第２の変形例を示す平面図である。
【図１２】エンボス凹部の配列パターンの変形例を示す説明図であり、（ａ）はエンボス凹部の端部がオーバーラップする場合、（ｂ）はエンボス凹部の端部が離れている場合を示すものである。
【図１３】エンボス凹部の変形例を示す説明図である。
【図１４】エンボス凹部の変形例を示す説明図である。
【図１５】エンボス凹部及びその配列パターンの比較例を示す説明図である。
【符号の説明】
２      バックシート
３      トップシート
３４    セカンドシート
４      吸収体
５      クレープ紙
６      ギャザーシート
８（８’）  エンボス凹部
８０    エンボス凹部
８８０  エンボスブロック
８１    短軸
８２    長軸
８８ａ  第１のフィットエンボス
８８ｂ  第２のフィットエンボス
８８ｃ  センターフィットエンボス
９      弾性部材
１１ａ  前端部
１１ｂ  後端部
１００、１０１、１０２  ナプキン（吸収性物品）
Ｂ      ブロック
Ｂ１    （第１の）ブロック
Ｂ２    （第２の）ブロック
Ｂ３    （第３の）ブロック
Ｂ４    （第４の）ブロック
Ｂ１１  第１のブロック
Ｂ１２  第２のブロック（帯領域）
Ｂ１３  第３のブロック
Ｂ１４  第４のブロック
α１    第１の仮想線
α２    第２の仮想線
α３    第３の仮想線
α４    第４の仮想線
Ｐ      ポイント（排血口対応部）
Ｌ１，Ｌ２  距離
【図１】
2004298454.tif 000003
【図２】
2004298454.tif 000004
【図３】
2004298454.tif 000005
【図４】
2004298454.tif 000006
【図５】
2004298454.tif 000007
【図６】
2004298454.tif 000008
【図７】
2004298454.tif 000009
【図８】
2004298454.tif 000010
【図９】
2004298454.tif 000011
【図１０】
2004298454.tif 000012
【図１１】
2004298454.tif 000013
【図１２】
2004298454.tif 000014
【図１３】
2004298454.tif 000015
【図１４】
2004298454.tif 000016
【図１５】
2004298454.tif 000017